(57)【要約】本発明は、本体部と、前記本体部の一側面に結合される携帯電子機器の充電スロットに挿入される充電ピン端子部と、前記本体部の他側面に備えられて、充電ケーブルの充電端子が挿入されるケーブル結合用スロットと、前記本体部の一側面に設置される殺菌ＬＥＤモジュールとを含み、前記殺菌ＬＥＤモジュールで放出されるＬＥＤ光線は人体に無害な可視光線を含むことを特徴とする携帯電子機器用殺菌器を提供する。
2018504253.tif 000002
【特許請求の範囲】
【請求項１】
本体部と、
前記本体部の一側面に結合される携帯電子機器の充電スロットに挿入される充電ピン端子部と、
前記本体部の他側面に備えられて、充電ケーブルの充電端子が挿入されるケーブル結合用スロットと、
前記充電ピン端子部の周辺に設置される殺菌ＬＥＤモジュールとを含み、
前記殺菌ＬＥＤモジュールで放出されるＬＥＤ光線は人体に無害な可視光線を含むことを特徴とする携帯電子機器用殺菌器。
【請求項２】
前記殺菌ＬＥＤモジュールが配置される前記本体部の一側面は凹溝形状に陥没されるように形成されることを特徴とする請求項１に記載の携帯電子機器用殺菌器。
【請求項３】
前記殺菌ＬＥＤモジュールから照射されるＬＥＤ光線は赤外線をさらに含むことを特徴とする請求項１に記載の携帯電子機器用殺菌器。
【請求項４】
前記本体部にはバッテリが内装され、前記殺菌ＬＥＤモジュールは前記本体部に内装されたバッテリから電力を受けてＬＥＤを発光させることを特徴とする請求項１に記載の携帯電子機器用殺菌器。
【発明の詳細な説明】
【技術分野】
【０００１】
本発明は携帯電子機器用殺菌器に関し、より詳しくは、ジェンダータイプで使いやすく、携帯電子機器を充電するとともに人体に無害な可視光線を放出して携帯電子機器を効率的に殺菌することができる携帯電子機器用殺菌器に関する。
【背景技術】
【０００２】
一般に、スマートフォンのような携帯電子機器は、使用者が指で直接画面をタッチして入力を行うのが大部分であり、そのため、使用者の指が直接タッチされるタッチパッドの表面に各種ウイルスや大腸菌などのたくさんの病原性細菌が繁殖する。
【０００３】
上述したように、携帯電子機器のタッチパッドに繁殖している各種病原性細菌はタッチパッドを触った手を通じて口や鼻に入って風邪、食中毒、結核、喘息などを誘発するなど、人体に有害な病気を発生させる虞がかなり高い。
【０００４】
これらの問題点を解決するために、韓国特許第１０−１２３０４７４号明細書及び韓国特許第２０−０４７０１２６号明細書に記載されているように、別途の殺菌装置にスマートフォンなどを挿入したり、またはスタンドと殺菌器に結合してスマートフォンなどを殺菌する技術が提案された。
【０００５】
しかしながら、このような従来技術は、スマートフォンなどの殺菌のための装置が比較的大きく、携帯性が劣り、また、殺菌時に発生する紫外線などが人体に有害であることがあって、新たな代案が要求されている。
【発明の概要】
【発明が解決しようとする課題】
【０００６】
本発明は、ジェンダータイプで使いやすく、携帯電子機器を充電するとともに人体に無害な可視光線を放出して携帯電子機器を効率的に殺菌することができる携帯電子機器用殺菌器を提供することを目的とする。
【課題を解決するための手段】
【０００７】
本発明の目的は、本体部と、上記本体部の一側面に結合される携帯電子機器の充電スロットに挿入される充電ピン端子部と、上記本体部の他側面に備えられて、充電ケーブルの充電端子が挿入されるケーブル結合用スロットと、前記本体部の一側面に設置される殺菌ＬＥＤモジュールとを含み、上記殺菌ＬＥＤモジュールで放出されるＬＥＤ光線は人体に無害な可視光線を含むことを特徴とする携帯電子機器用殺菌器によって達成される。
【０００８】
上記殺菌ＬＥＤモジュールが配置される上記本体部の一側面は凹溝形状に陥没されるように形成されることができる。
上記殺菌ＬＥＤモジュールで放出されるＬＥＤ光線は赤外線をさらに含むことができる。
上記本体部にはバッテリが内装され、上記殺菌ＬＥＤモジュールは、上記の本体部に内装されたバッテリから電力が供給されてＬＥＤを発光させることができる。
【発明の効果】
【０００９】
本発明によれば、ジェンダータイプで使いやすく、携帯電子機器を充電するとともに人体に無害な可視光線を放出して携帯電子機器を効率的に殺菌することができる携帯電子機器用殺菌器が提供される。
【図面の簡単な説明】
【００１０】
【図１】本発明の一実施形態に係る携帯電子機器用殺菌器の斜視図である。
【図２】図１に示された携帯電子機器用殺菌器の背面斜視図である。
【図３】図１に示された携帯電子機器用殺菌器の側断面図である。
【図４】図１に示された携帯電子機器用殺菌器が携帯電子機器に結合されて用いられる例を示す図である。
【図５】本発明の他の実施例を示す図である。
【発明を実施するための形態】
【００１１】
本願発明によれば、
本体部と、
上記本体部の一側面に結合される携帯電子機器の充電スロットに挿入される充電ピン端子部と、
上記本体部の他側面に備えられて、充電ケーブルの充電端子が挿入されるケーブル結合用スロットと、
上記充電ピン端子部の周辺に設置される殺菌ＬＥＤモジュールとを含み、
上記殺菌ＬＥＤモジュールで放出されるＬＥＤ光線は人体に無害な可視光線を含むことを特徴とする携帯電子機器用殺菌器が提供される。
【００１２】
＜実施形態＞
以下、図面を参照して、本発明の実施例を詳しく説明すれば次の通りである。
図１は本発明の一実施形態に係る携帯電子機器用殺菌器の斜視図であり、図２は図１に示された携帯電子機器用殺菌器の背面斜視図であり、図３は図１に示された携帯電子機器用殺菌器の側断面図であり、図４は図１に示された携帯電子機器用殺菌器が携帯電子機器に結合されて用いられる例を示す図である。
【００１３】
図示したように、本発明の一実施形態に係る携帯電子機器用殺菌器１００は、両端が塞がれた円筒状の本体部１１０と、本体部１１０の一側面に結合される充電ピン端子部１２０、本体部１１０の他側面に備えられるケーブル結合用スロット１３０及び上記充電ピン端子部１２０の周辺に設置される殺菌ＬＥＤモジュール１４０を含む。
【００１４】
本体部１１０は、各構成要素の設置空間を提供し、好ましくは、一側面は凹溝形状に陥没されるように形成され、他側面は平らな面を有するように形成される。内部には殺菌ＬＥＤモジュール用駆動回路（図示しない）を備えることができる。本体部１１０のサイズは図示したサイズに限定されず、必要な殺菌力に応じて、より大きく製作したり、より小さく製作することができる。
【００１５】
充電ピン端子部１２０は充電ピン１２１と端子本体１２２とで構成されて、本体部１１０に結合される。ケーブル結合用スロット１３０は本体部１１０の他側面に形成されて充電ピン端子部１２０に水平に配置されることができる。ケーブル結合用スロット１３０には充電ケーブル２０の充電端子が挿入されて、充電ピン端子部１２０に向かって充電用電流が出力される。
【００１６】
充電ピン端子部１２０の充電ピン１２１の数に対応して、ケーブル結合用スロット１３０には複数のピンが備えられる。例えば、アンドロイド（登録商標）フォンのように充電ピンの数が５ピンであれば、ケーブル結合用スロット１３０に備えられたピンも５つに形成されることが好ましい。ｉＰｈｏｎｅ（登録商標）の場合は、それぞれ８ピンで形成されることが好ましい。しかし、本発明が必ずしもこのような構造に制限されるのではないので、ピン変換ジェンダーのように異なるピンの数を有する形で充電ピン１２１とケーブルの結合用スロット１３０が形成されて、必要な用途に応じて用いられても構わない。
【００１７】
殺菌ＬＥＤモジュール１４０は充電ピン端子部１２０の周辺、本体部１４０の一側面に複数が配置されて、充電ピン端子部１２０に結合されるスマートフォンなどの携帯電子機器１０にＬＥＤ光線を照射する。ＬＥＤ光線は、好ましく３８０〜７６０ｎｍの波長を有する可視光線であることができる。このような波長帯域は可視光線帯域であり、紫外線とは異なって人体に無害であるので、使用中の安全性が保証されることができる。ただし、このような可視光線は紫外線に比べて短時間における殺菌効果が劣っていて、本発明は長時間の充電と同時に携帯電子機器１０の殺菌が付加的に行われるようにした意図で提案されたものであるので、３〜４時間以上充電すれば、その殺菌効果は十分達成することができる。
【００１８】
また、殺菌ＬＥＤモジュール１４０は７６０ｎｍ〜１ｍｍの赤外線を放出するＬＥＤをさらに含むことができる。このように、赤外線を放出するＬＥＤを含む場合、熱を発生させて可視光ＬＥＤによる殺菌効率を高めることができるという長所がある。
【００１９】
殺菌ＬＥＤモジュール１４０は、図示した実施例において４つで表現されているが、その数は必要に応じて多様に調節することができる。
【００２０】
殺菌ＬＥＤモジュール１４０のＬＥＤは、その放射角が１１０〜１２０度に形成されて、携帯電子機器１０の一側に装着されても、携帯電子機器の前後面に十分照射されることができる。しかし、殺菌ＬＥＤモジュール１４０で放出されるＬＥＤ光線がスマートフォンなどの携帯電子機器側にさらに集中されるように本体部１４０の一側面を図３に示すようにラウンド状に形成して設置することが好ましい。
【００２１】
即ち、図示した実施例のように、殺菌ＬＥＤモジュール１４０が４つ配置され、２つが上部列に配置され、残り２つが下部列に配置されるように設置されて、携帯電子機器に結合されると、上部列の殺菌ＬＥＤモジュール１４０は、携帯電子機器の前面にＬＥＤ光線を照射することになり、下部列の殺菌ＬＥＤモジュール１４０は、携帯電子機器の背面にＬＥＤ光線を照射することになる。この時、ラウンド状に配置されず、垂直に配置される場合、ＬＥＤ光線の一部がスマートフォンなどに照射されず、無駄になることがある。これを防止するために、ラウンド状にＬＥＤモジュール１４０を固定することにより、照射光の無駄を最小化して、殺菌効率を最大化することができる。
【００２２】
このように構成された携帯電子機器用殺菌器の作用を説明する。まず、図４のように、充電ケーブル２０の充電端子を本発明に係る殺菌器１００の一側に形成されるケーブル結合用スロット１３０に結合して充電用電流が充電ピン端子部１２０に伝達されるようにすれば、充電行為が普段のように行われながら、本体部１１０の内部に備えられた殺菌ＬＥＤモジュール駆動回路（図示せず）が動作して充電用電流の一部を利用して複数の殺菌ＬＥＤモジュール１４０を発光させる。それにより、複数の殺菌ＬＥＤモジュール１４０が人体に無害な可視光線、または人体に無害な可視光線及び赤外線を放出し、複数の殺菌ＬＥＤモジュール１４０によってスマートフォンなどの携帯電子機器１０の殺菌が充電と同時に行われることができる。
また、小型ジェンダータイプで、簡便に携帯可能にして、使用上の便宜性も大幅に増大させることができる。
【００２３】
図５は本発明の他の実施例を示す図である。図示した実施例の携帯電子機器用殺菌器１００は、携帯用バッテリパック形態で、携帯用バッテリ機能が付加的に備えられており、本体部１１０の一側に充電ピン端子部１２０が形成され、他側にケーブル結合用スロット１３０が形成される。形成位置は必ずしも図示した位置に限定されない。充電ピン端子部１２０の周辺には殺菌ＬＥＤモジュール１４０が備えられており、大部分の構成要素は前述した実施例と同様である。
【００２４】
ただし、本実施例では、本体部１１０の内部に携帯用バッテリ（図示せず）が内装されており、殺菌ＬＥＤモジュール１４０は、本体部１１０の内部に内装された携帯用バッテリ（図示せず）から電源を受けてＬＥＤを発光させることができるように構成される。
【００２５】
従って、携帯用電子機器１０に充電ピン端子部１２０が結合されると、携帯電子機器１０の充電と同時に携帯電子機器１０の殺菌が可能になる。本実施例によれば、別途の充電ケーブルが接続されていない状態でも、携帯電子機器を殺菌することができるという利点がある。
【００２６】
本発明は、図示した実施例以外にも、充電用スタンドドックのような他の形態の携帯用電子機器の充電装置の充電ピン端子部周辺に複数の殺菌ＬＥＤモジュールを適用することにより、多様に変形して実施することも可能である。
【００２７】
このように、本発明は記載された実施例に限定されるのではなく、本発明の思想及び範囲を逸脱することなく多様に修正及び変形することができることは、当該技術分野において通常の知識を有する者にとって自明である。従って、そのような修正例や変形例は本発明の特許請求範囲に属するとすべきである。
【産業上の利用可能性】
【００２８】
本発明は携帯電子機器用殺菌器に関する産業に利用することができる。
【図１】
2018504253.tif 000003
【図２】
2018504253.tif 000004
【図３】
2018504253.tif 000005
【図４】
2018504253.tif 000006
【図５】
2018504253.tif 000007
【国際調査報告】
2018504253.tif 000008
2018504253.tif 000009
2018504253.tif 000010
2018504253.tif 000011